(57)【特許請求の範囲】
【請求項１】
開口部がシール部材によって封止されたカップ本体に、前記シール部材を破断して開封する切刃部材を備えた蓋体が被着されてなる蓋付カップ容器であって、
前記蓋体の外側には、天板部を備えた外蓋が被着されており、該天板部には、前記外蓋の内側を向く面が前記外蓋の内側に向けて突出するように変形して、前記切刃部材を前記シール部材側へと押圧する押圧部が形成され、
前記押圧部は、押圧面、及びこの押圧面の外周端から前記外蓋の内側に向けて延びる周壁部を備えた反転変形容易部と、
前記周壁部における前記外蓋の内側の端部、及び前記天板部間を接続する蛇腹状接続部と、を有し、
前記押圧面を前記外蓋の内側に向けて押圧することで、前記周壁部が前記外蓋の内側に向けて反転するとともに、前記蛇腹状接続部が前記外蓋の内側に向けて延びる構成とされ、
前記蓋体は、前記天板部に向けて延びる側壁部を備えていることを特徴とする蓋付カップ容器。
【発明の詳細な説明】
【技術分野】
【０００１】
本発明は、例えば飲料等が充填される蓋付カップ容器に関するものである。
【背景技術】
【０００２】
この種の蓋付カップ容器としては、例えば下記特許文献１及び特許文献２に示されるように、上方に向けて開口した開口部が形成されたカップ本体を備え、この開口部がシール部材によって封止され、カップ本体の上部に前記シール部材を破断する切刃部材を備えた蓋体が被着されたものが提供されている。ここで、切刃部材は、シール部材と対向配置される天面部に設けられており、その下面側（シール部材に対向する側）に下側に向けて突出する切刃が形成されるとともに、天面部と連結ヒンジ部にて連結されていて、この連結ヒンジ部を中心として下側に向けて回動可能に構成されている。
【０００３】
このような構成の蓋付カップ容器は、切刃部材を上方から指等で押圧して連結ヒンジ部を中心にして下側（シール部材側）へと回動させ、蓋体の下側に向けて突出された切刃によってシール部材を破断して開口し、カップ本体内に充填されている飲料等の内容物を外部へと取り出すことができるものである。
【特許文献１】特開２００４−１２３１５５号公報
【特許文献２】特開２００５−２２７５７号公報
【発明の開示】
【発明が解決しようとする課題】
【０００４】
ところで、前述した従来の蓋付カップ容器においては、切刃部材を指で押し込んだ際に、指がカップ本体内に入り込んで内容物に触れてしまうおそれがあり、特に、内容物が飲料等の場合には衛生上の問題があった。
また、切刃部材を必要以上に強く押圧した場合には、内容物に切刃部材や指等が勢い良く飛び込んで内容物が外部へと飛散してしまうおそれがあった。
【０００５】
この発明は、前述した事情に鑑みてなされたものであって、切刃部材によって開封する際に指等がカップ本体内の内容物に触れることがなく衛生的であるとともに、内容物が外部へと飛散することを防止できる蓋付カップ容器を提供することを目的とする。
【課題を解決するための手段】
【０００６】
この課題を解決するために、本発明の蓋付カップ容器は、開口部がシール部材によって封止されたカップ本体に、前記シール部材を破断して開封する切刃部材を備えた蓋体が被着されてなる蓋付カップ容器であって、前記蓋体の外側には、天板部を備えた外蓋が被着されており、該天板部には、前記外蓋の内側を向く面が前記外蓋の内側に向けて突出するように変形して、前記切刃部材を前記シール部材側へと押圧する押圧部が形成され、前記押圧部は、押圧面、及びこの押圧面の外周端から前記外蓋の内側に向けて延びる周壁部を備えた反転変形容易部と、前記周壁部における前記外蓋の内側の端部、及び前記天板部間を接続する蛇腹状接続部と、を有し、前記押圧面を前記外蓋の内側に向けて押圧することで、前記周壁部が前記外蓋の内側に向けて反転するとともに、前記蛇腹状接続部が前記外蓋の内側に向けて延びる構成とされ、前記蓋体は、前記天板部に向けて延びる側壁部を備えていることを特徴としている。
【０００７】
この構成の蓋付カップ容器によれば、切刃部材が形成された蓋体の外側に、前記切刃部材をシール部材へと押圧する押圧部が形成された外蓋が被着されているので、切刃部材を指等で直接押圧することなくこの押圧部を介して押圧することになり、カップ本体内に指等が入り込むことがなく内容物との接触を防止できる。また、切刃部材や指等が勢い良く内容物に飛び込むことがなく内容物の飛散を防止できる。さらに、外蓋を被着した状態で開封作業を行うことができるので、万が一、切刃部材が勢い良く内容物に飛び込んだ場合でも、内容物が外蓋の外部に飛散することはない。
この場合、外蓋の外部から押圧面を押圧することで、周壁部が反転変形するとともに蛇腹状接続部が外蓋の内側に向けて延びて、切刃部材をシール部材側へと押圧してシール部材を破断して開封することができる。また、開封時において、押圧部は、その変形量以上にカップ本体内に入り込むことがないので、内容物に勢い良く飛び込むことがなく内容物の飛散を確実に防止できる。また、反転変形するために、カップ本体内に入り込む部分は外蓋の内面側となり、さらに衛生的である。さらに、反転変形容易部が蛇腹状接続部を介して天板部に接続されているので、押圧部を押圧して外蓋の内側に向けて突出するように変形させた際に蛇腹状接続部が延びるように変形することになり、外蓋の高さを大きくすることなく押圧部の変形量を確保することができ、切刃部材を押し下げて確実に開封することができる。
【発明の効果】
【０００９】
本発明によれば、切刃部材によって開封する際に指等がカップ本体内の内容物に触れることがなく衛生的であるとともに、内容物が外部へと飛散することを防止できる蓋付カップ容器を提供することができる。
【発明を実施するための最良の形態】
【００１０】
以下に、本発明の実施形態について添付した図面を参照にして説明する。図１から図４に、本発明の実施形態である蓋付カップ容器を示す。
本実施形態である蓋付カップ容器１０は、例えば飲料等が充填されて流通されるものであり、ユーザー（消費者）が購入してこのカップ容器から直接飲むことができるものである。
【００１１】
この蓋付カップ容器１０は、軸線Ｌに沿って延びる概略有底円筒状をなすカップ本体１１を有しており、このカップ本体１１には、上方に向けて開口した開口部１１Ａが形成されている。
詳述すると、カップ本体１１は、下側に向かうにしたがい漸次径が小さくなるようなテーパ胴部１２と、このテーパ胴部１２の下端に接続されて軸線Ｌと直交する方向に延びる底部１３とを有している。テーパ胴部１２の上端には、一段大径とされるとともに径が一定のまま上方へと延びる定径部１４が形成されていて、定径部１４の上端に前記開口部１１Ａが形成されている。この定径部１４の上端部分は径方向外側に向けて略９０°、つまり、軸線Ｌに直交する方向に折り曲げられていて、開口部１１Ａの周囲にフランジ部１５が形成されている。
【００１２】
このフランジ部１５の上面には、前記開口部１１Ａを封止するためのシール部材１６が貼着されている。このシール部材１６は、例えばアルミ蒸着シート等のバリア性シート材で構成されていて、その下面には熱溶着層が形成されている。このシール部材１６は、前記カップ本体１１内に飲料が充填された後に、フランジ部１５の上面に熱溶着され、カップ本体１１内の飲料が外部に漏出しないように封止するものである。なお、シール部材１６としてバリア性シート材を使用した場合には、空気等がカップ本体１１内へと侵入することを防止して飲料の変質を防ぐこともできる。
【００１３】
カップ本体１１の開口部１１Ａにシール部材１６が貼着された状態で、上部から蓋体２０が被着される。この蓋体２０は、軸線Ｍを中心とした円筒状をなす側壁部２１と前記軸線Ｍに対して直交する方向に延びて側壁部２１と交差する天面部２２とを備えている。側壁部２１の下端には、径方向外側に向けて前記天面部２２と平行に延びる円環状平面部２３が形成されるとともに、この円環状平面部２３を介して前記側壁部２１よりも内径及び外径が一段大きくされた装着筒部２４が設けられている。
【００１４】
この装着筒部２４の内周面には、径方向内側に向けて突出した係合凸部２５が形成されており、この係合凸部２５の突出した部分の内径は、前記フランジ部１５の外径よりも小さくされていて、係合凸部２５の円環状平面部２３からの前記軸線Ｍ方向高さは、フランジ部１５の肉厚にシール部材１６の厚さを加えたものと略同一とされている。よって、この装着筒部２４を前記フランジ部１５に被せると、図１に示すように、係合凸部２５がフランジ部１５の下面側に係合し、円環状平面部２３がフランジ部１５の上面にシール部材１６を介して当接され、蓋体２０がカップ本体１１に固定される構成とされている。なお、このように蓋体２０をカップ本体１１に被着した場合には、カップ本体１１の軸線Ｌと蓋体２０の軸線Ｍとが一致することになる。
【００１５】
また、側壁部２１は、上方に向かうにしたがいその肉厚が漸次薄くなるように形成されていて、天面部２２が交差した部分よりもさらに上方部分は、このカップ本体１１内に充填された飲料をユーザー（消費者）が飲む際の飲み口部２６とされる。
そして、天面部２２には、前記シール部材１６を破断して開封する際に使用される切刃部材２７が形成されている。
【００１６】
切刃部材２７は、前記天面部２２と側壁部２１との接続部分の一部が切り欠かれた円弧状切欠部２７Ａと、この円弧状切欠部２７Ａの両端から軸線Ｍ近傍に向けて互いに平行に延びる一対の直線状切欠部２７Ｂと、これら一対の直線状切欠部２７Ｂの端部を接続するように延びる連結ヒンジ部２８とを有しており、上面視して図２に示すように、概略四角形状をなしている。この切刃部材２７の下面側（シール部材１６に対向する側）には、下側に向けて突出した切刃２９が形成されていて、蓋体２０を被着した状態では、この切刃２９はシール部材１６と非接触な状態に配置されている。
この切刃部材２７は、上方から押圧することにより、連結ヒンジ部２８を中心軸として下方側に向けて回動可能とされている。また、連結ヒンジ部２８近傍には、下方側に向けて押し下げた切刃部材２７が天面部２２側に向けて回動することを防止するためのストッパ２８Ａが設けられている。
【００１７】
この蓋体２０のさらに外側には、該蓋体２０を覆うようにして外蓋３０が被着される。この外蓋３０は、軸線Ｎを中心として２段円筒状をなす円筒部３１と該円筒部３１の上端に配置されて軸線Ｎと直交する方向に延びる天板部３２とを有している。
円筒部３１の下方側が一段内径及び外径が大きくされていて、前記蓋体２０に被着される取付部３３とされている。この取付部３３の下端部分には、径方向内側に向けて突出するように折り曲げられて環状凸部３４が形成されており、蓋体２０の装着筒部２４の下端部分がこの環状凸部３４に係合することで、蓋体２０に外蓋３０が被着される構成とされている。このように外蓋３０を蓋体２０の外側に被着した場合には、蓋体２０の軸線Ｍと外蓋３０の軸線Ｎとカップ本体１１の軸線Ｌとが一致することになる。
【００１８】
そして、天板部３２のうち前記切刃部材２７の上方に位置する部分には、前記切刃部材２７を上方から押圧するための押圧部３５が形成されている。なお、本実施形態においては、押圧部３５は、押圧面３６Ａ及び周壁部３６Ｂとを備えた反転変形容易部３６が天板部３２と蛇腹状接続部３７を介して接続された構成とされている。なお、蛇腹状接続部３７は、天板部３２及び反転変形容易部３６よりも薄肉とされている。
【００１９】
詳述すると、反転変形容易部３６は、外蓋３０の天板部３２よりも僅かに下側に位置するとともにこの天板部３２と平行に配置された押圧面３６Ａと、この押圧面３６Ａの外周端から下側に向けて延びて外蓋３０を被着した状態で蓋体２０の天面部２２上面近傍まで達するように形成された周壁部３６Ｂとを備えている。
天板部３２とこの反転変形容易部３６とを接続する蛇腹状接続部３７は、天板部３２と接続される外周側部分が、下側に一段折り曲げられた後に押圧部３５の径方向内方に向けて折り返され、さらに下側に一段折り曲げられた後に押圧部３５の径方向内方に向けて折り返されていて、この径方向内方端部が下側に向けて折り曲げられて前記切刃部材２７の近傍にまで達するように構成されていて、前記周壁部３６Ｂの外周端に接続されている。
そして、押圧面３６Ａを上方から押圧することで、周壁部３６Ｂが反転するとともに、蛇腹状接続部３７が下方に向けて延ばされて、外蓋３０の内側、つまり、切刃部材２７側に向けて突出するように変形することになる。
【００２０】
このような構成とされた蓋付カップ容器１０においては、カップ本体１１に、例えば飲料等が充填され、カップ本体１１のフランジ部１５に前記シール部材１６が熱溶着されてカップ本体１１が封止される。このカップ本体１１の上から蓋体２０を被せて、フランジ部１５の外周端に前記装着筒部２４の係合凸部２５を係合させることにより、蓋体２０をカップ本体１１に被着させる。さらに、この上から外蓋３０を被せて、前記装着筒部２４の下端に前記環状凸部３４を係合させて外蓋３０を被着させる。この状態で、内部に飲料が充填された蓋付カップ容器１０が流通される。
【００２１】
ユーザー（消費者）がこの蓋付カップ容器１０に充填された飲料を飲む際には、図３に示すように、指Ｆによって外蓋３０の押圧部３５を下側に向けて押圧する。すると、押圧部３５が反転変形して下側に向けて突出され、蓋体２０に形成された切刃部材２７を上方から押圧することになり、切刃部材２７が連結ヒンジ部２８を中心に回動して、切刃部材２７の下側に形成された切刃２９がシール部材１６へと切り込んでいき、シール部材１６が破断されて開封される。なお、このような開封の過程において、反転変形容易部３６及び蛇腹状接続部３７は破断することがなく、カップ本体１１内は密封状態が維持される。
このようにして開封することで、カップ本体１１内の飲料は、シール部材１６が破断された部分及び切刃部材２７が押し下げられて形成された開口部を通じて蓋体２０の外側に取り出されることになる。そこで、ユーザー（消費者）は、このように開封した後に外蓋３０を取り外して、飲み口部２６を介してカップ本体１１内の飲料を飲むことができる。
【００２２】
本実施形態である蓋付カップ容器１０によれば、前述のように外蓋３０の上方から押圧部３５を押圧することで、この押圧部３５が反転変形して下側に向けて突出し、切刃部材２７を押圧して下側（シール部材１６側）へと回動させてシール部材１６を破断して開封することができるので、切刃部材２７を指Ｆで直接押圧することがなくなり、カップ本体１１内に指Ｆが入り込むおそれがなくカップ本体１１内に充填された飲料と指Ｆとの接触を防止できる。
【００２３】
また、押圧部３５を強く押圧しても押圧部３５の変形量以上にカップ本体１１内に入り込むことが防止され、切刃部材２７が勢い良く飲料等に飛び込むことが抑制され、飲料の飛散を防止できる。
また、外蓋３０を被着したままで開封作業を行うことができるので、万が一、切刃部材２７によって飲料がカップ本体１１から飛散しても、外蓋３０の外部にまで飲料が飛散することがない。
さらに、カップ本体１１内に入り込んで飲料と接触するおそれがある部分は、外蓋３０の内面側（蓋体２０に対向する側）であるため衛生的である。
【００２４】
また、反転変形容易部３６が蛇腹状接続部３７を介して天板部３２に接続されているので、押圧部３５を押圧して、この押圧部３５を下側に向けて突出するように変形させた際に、蛇腹状接続部３７が下側に延びるように変形することになり、外蓋２０の高さを大きくすることなく押圧部３５の変形量を確保することができ、切刃部材２７を確実に押し下げて開封することができる。
【００２５】
以上、本発明の実施形態である蓋付カップ容器について説明したが、本発明の技術的範囲はこれに限定されることはなく、本発明の技術的思想を逸脱しない範囲で適宜変更可能である。
例えば、飲料を充填する蓋付カップ容器として説明したが、蓋付カップ容器内の内容物に限定はなく、その他の液体であっても良いし、液体に限定されず粉末や粒状体などであっても良い。
【００２６】
さらに、押圧部を、反転変形容易部が天板部と蛇腹状接続部を介して接続された構成としたもので説明したが、この構成に限定されることはなく、蛇腹状接続部がないものであってもよい。
また、切刃部材を天面部に連結する連結ヒンジ部を蓋体の軸線近傍に形成したものとして説明したが、これに限定されることはなく、連結ヒンジ部を天面部の外周側に形成しても良いし、天面部の径方向に沿って延びるように形成しても良い。
【００２７】
さらに、カップ本体や蓋体の形状は、本実施形態に限定されることはなく、例えば四角筒状をなすカップ本体や蓋体であっても良い。
また、切刃部材の形態についても本実施形態に限定されることはなく、上から押圧してシール部材を破断できる構成とされていれば良い。
また、シール部材としてアルミ蒸着シート等のバリア性シート材で構成されたものでア説明したが、これに限定されることはなく、シール部材の材質は、カップ本体内の内容物に合わせて適宜設定することが好ましい。
【産業上の利用可能性】
【００２８】
指等がカップ本体内に入り込んで、カップ本体の内容物に触れることを確実に防止して、内容物が外部へと飛散することを防止することができる。
【図面の簡単な説明】
【００２９】
【図１】本発明の実施形態である蓋付カップ容器の側面部分断面図である。
【図２】図１に示す蓋付カップ容器の上面図である。
【図３】図１に示す蓋付カップ容器を開封する際の様子を示す説明図である。
【図４】図１に示す蓋付カップ容器を開封した状態を示す説明図である。
【符号の説明】
【００３０】
１０  蓋付カップ容器
１１  カップ本体
１１Ａ  開口部
１６  シール部材
２０  蓋体
２７  切刃部材
３０  外蓋
３５  押圧部
３６  反転変形容易部
３６Ａ  押圧面
３６Ｂ  周壁部
３７  蛇腹状接続部
【図１】
0004813259.tif 000002
【図２】
0004813259.tif 000003
【図３】
0004813259.tif 000004
【図４】
0004813259.tif 000005